(57)【特許請求の範囲】
【請求項１】
ストライプ状のセル障壁における壁面とセル底面を覆うようにして配された蛍光体の発光により画像表示を行うタイプのプラズマディスプレイパネルにおいて、異なる色を発光する蛍光体の少なくとも１種類の蛍光体のパターンが所定の本数ごとに画像表示の有効エリア外で他色の蛍光体と異なる形状を有することを特徴とするプラズマディスプレイパネル。
【請求項２】
ストライプ状のセル障壁における壁面とセル底面を覆うようにして配された蛍光体の発光により画像表示を行うタイプのプラズマディスプレイパネルにおいて、異なる色を発光する蛍光体の少なくとも１種類の蛍光体に対応するセル障壁のパターンが所定の本数ごとに画像表示の有効エリア外で他色の蛍光体に対応するセル障壁のパターンと異なる形状を有することを特徴とするプラズマディスプレイパネル。
【発明の詳細な説明】
【０００１】
【発明の属する技術分野】
本発明は、プラズマディスプレイパネル（ＰＤＰ）に関するものである。
【０００２】
【従来の技術】
ここでは、蛍光体を使用するカラー表示デバイスの代表例としてＰＤＰを採り上げる。一般にＰＤＰは、２枚の対向するガラス基板にそれぞれ規則的に配列した一対の電極を設け、その間にＮｅ，Ｘｅ等の不活性ガスを主体とするガスを封入した構造になっている。そして、これらの電極間に電圧を印加し、電極周辺の微小なセル内で放電を発生させることにより、各セルを発光させて表示を行うようにしている。情報表示をするためには、規則的に並んだセルを選択的に放電発光させる。このＰＤＰには、電極が放電空間に露出している直流型（ＤＣ型）と絶縁層で覆われている交流型（ＡＣ型）の２タイプがあり、双方とも表示機能や駆動方法の違いによって、さらにリフレッシュ駆動方式とメモリー駆動方式とに分類される。
【０００３】
図１にＡＣ型ＰＤＰの一構成例を示してある。この図は前面板と背面板を離した状態で示したもので、図示のように２枚のガラス基板１，２が互いに平行に且つ対向して配設されており、両者は背面板となるガラス基板上に互いに平行に設けられたセル障壁３により一定の間隔に保持されている。前面板となるガラス基板１の背面側には透明電極である維持電極４と金属電極であるバス電極５とで構成される複合電極６が互いに平行に形成され、これを覆って誘電体層７が形成されており、さらにその上に保護層８（ＭｇＯ層）が形成されている。また、背面板となるガラス基板２の前面板側には複合電極６と直交するようにセル障壁３の間に位置してアドレシング電極９が互いに平行に形成されており、さらにセル障壁３の壁面とセル底面を覆うようにして蛍光体１０が設けられている。
【０００４】
このＡＣ型ＰＤＰは面放電型であって、パネル点灯を選択的に行うには、例えば前面板上の複合電極間にパルス電圧を印加して初期放電を発生させた後、複合電極とアドレシング電極との間にパルス電圧を印加することによりアドレシングを行い、各セルの点灯オン・オフを選択する。すなわち、アドレシング時に複合電極とアドレシング電極との間に電圧を印加したセルでは放電が発生して誘電体層と保護層上に電荷が蓄積されるが、電圧を印加しないセルでは初期放電で蓄積した電荷がキャンセルされる。続いて、複合電極間に交流電圧を印加すると、電荷が蓄積されているセルでは放電点灯が維持されるのに対して、電荷がキャンセルされたセルでは放電が発生しない。そして、点灯オンのセルではこの放電により生じる紫外線により蛍光体１０を発光させ、前面板を透過する光を観察者が視認するようになっている。
【０００５】
【発明が解決しようとする課題】
上記のようなパネル構造では、例えば図２のパターン図に示すようにＲＧＢ各色の蛍光体の塗布領域は同一形状であるのが一般的である。また、特別な顔料を添加しない限りＲＧＢ各色の蛍光体はいずれも白色であるため、蛍光体の塗布形状や欠陥箇所を検査する場合に区別がつかない。ＲＧＢ各色の蛍光体が着色してあれば目視による認識が可能であるが、顔料を添加することは不純物の混入を意味し、すなわち蛍光体の発光効率を低下させるために望ましくない。したがって、蛍光体の着色を行わない場合、どの蛍光体ラインがどの色のものかを識別するためには端から１本ずつ数えるか、或いはその座標位置から識別している。しかしこの方法では、特に基板の中心付近で煩雑な手順になる。また、蛍光体が着色してある場合であっても、自動検査装置に搭載されているモノクロ方式のＣＣＤカメラでは色の識別ができない。自動検査装置のＣＣＤカメラがモノクロである理由は、カラーに比べて解像度が良い点にある。或いは、ＵＶ光を当てて発光させながら検査を行う方法もあるが、デバイスによっては真空紫外線によって蛍光体を励起する場合もあり、ＵＶランプではこのような蛍光体を発光できない。
【０００６】
本発明は、上記のような問題点に鑑みてなされたものであり、その目的とするところは、簡単な構成によりＲＧＢ各色の蛍光体がどの色であるのか容易に識別できるＰＤＰを提供することにある。
【０００７】
【課題を解決するための手段】
上記目的を達成するため、本発明は、ストライプ状のセル障壁における壁面とセル底面を覆うようにして配された蛍光体の発光により画像表示を行うタイプのＰＤＰにおいて、異なる色を発光する蛍光体の少なくとも１種類の蛍光体のパターンが所定の本数ごとに画像表示の有効エリア外で他色の蛍光体と異なる形状を有することを特徴とする。
【０００８】
また、本発明は、ストライプ状のセル障壁における壁面とセル底面を覆うようにして配された蛍光体の発光により画像表示を行うタイプのＰＤＰにおいて、異なる色を発光する蛍光体の少なくとも１種類の蛍光体に対応するセル障壁のパターンが所定の本数ごとに画像表示の有効エリア外で他色の蛍光体に対応するセル障壁のパターンと異なる形状を有することを特徴とする。
【０００９】
【発明の実施の形態】
ここでは、従来の技術で説明した如きＰＤＰ基板を採り上げ、本発明の実施形態について例を挙げて説明する。
【００１０】
図３に示される例では、ＲＧＢ各色の蛍光体１０のうちＲ色の蛍光体１０のパターンのみを画像表示の有効エリア外で他の蛍光体１０と異なる形状としている。このように構成することで、蛍光体パターン末端の形状からＲの蛍光体１０を容易に認識することができ、さらにＲの蛍光体１０を基準にしてＧ及びＢの蛍光体１０も認識することができる。
【００１１】
図４に示される例では、ＲＧＢ各色の蛍光体１０のパターンを画像表示の有効エリア外で他の蛍光体１０のパターンと変えてある。この場合も図３の場合と同様に、蛍光体パターン末端の形状で色を認識できる。
【００１２】
図５に示される例では、ＲＧＢ各色の蛍光体１０のうちＲ色の蛍光体１０のパターンのみを画像表示の有効エリア外で１本置きに他の蛍光体１０と異なる形状としている。すなわち、ある所定の色の所定の本数ごとに蛍光体１０のパターンの形状を変化させておけば、そこを基準として周辺の蛍光体１０の色を認識できる。
【００１４】
図６に示される例では、セル障壁３のパターンを画像表示の有効エリア外で３本ごとに他のセル障壁３のパターンと変えてある。この場合、例えばＲの蛍光体１０に対応するセル障壁３のパターンを一部変化させておけば、蛍光体パターンの末端形状を変化させた場合と同様の効果が得られる。なお、図６では３本置きにセル障壁形状を変えているが、３本置きでも９本置きでも色数の倍数であれば構わない。また、セル障壁のパターンは図６に記載の形状に限定されるものではない。
【００１５】
以上に例示したような蛍光体、セル障壁のパターンは、蛍光体の検査を行う際、そのパターンの端部形状からＲＧＢ各色の蛍光体を識別することが可能であり、その効果はいずれのパターンにおいても同じである。
【００１６】
【発明の効果】
以上説明したように、本発明は、ストライプ状に配された蛍光体の発光により画像表示を行うＰＤＰにおいて、蛍光体やセル障壁のパターンを画像表示の有効エリア外で変えたことにより、これらのパターンからＲＧＢ各色の蛍光体がどの色であるのか容易に識別することができ、モノクロのＣＣＤカメラによる検査装置であっても色を認識することが可能である。
【図面の簡単な説明】
【図１】  ＡＣ型プラズマディスプレイパネルの一構成例をその前面板と背面板を離した状態で示す構造図である。
【図２】  図１に示す如きパネルにおける基板に形成された障壁及び蛍光体のパターンの一部を示す平面図である。
【図３】  プラズマディスプレイパネル基板における障壁及び蛍光体のパターンの一部を示す平面図である。
【図４】  プラズマディスプレイパネル基板における障壁及び蛍光体のパターンの一部を示す平面図である。
【図５】  プラズマディスプレイパネル基板における障壁及び蛍光体のパターンの一部を示す平面図である。
【図６】  プラズマディスプレイパネル基板における障壁及び蛍光体のパターンの一部を示す平面図である。
【符号の説明】
１，２  ガラス基板
３  セル障壁
４  維持電極
５  バス電極
６  複合電極
７  誘電体層
８  保護層
９  アドレシング電極
１０  蛍光体
【図１】
0003659446.tif 000002
【図２】
0003659446.tif 000003
【図３】
0003659446.tif 000004
【図４】
0003659446.tif 000005
【図５】
0003659446.tif 000006
【図６】
0003659446.tif 000007